(57)【特許請求の範囲】
【請求項１】
ユーザの人体を通じて行う端末装置との通信を確立する通信手段と、
前記端末装置と確立した通信により取得する認証情報でユーザを認証する認証手段と、
前記通信手段と前記端末装置との通信が確立した第１の状態から確立していない第２の状態に遷移することに応じて、前記認証手段によって認証することでログインした第１のユーザが操作した第１の操作画面の情報を記憶手段に保存する保存手段と、
前記第２の状態に遷移してから所定の時間が経過したか否かを判定する判定手段と、
前記判定手段による判定の結果、前記所定の時間が経過していない場合、前記ログインした第1のユーザのログイン状態を保持し、前記ログインした第１のユーザのジョブを実行中であることに基づき前記ログインした第1のユーザ以外の第２のユーザがログインすることを制限し、前記所定の時間が経過したことに基づき、前記ログインした第１のユーザをログアウトさせる制御手段と、
を備えることを特徴とする情報処理装置。
【請求項２】
前記判定手段による判定の結果、所定の時間が経過していた場合、前記記憶手段に保存した前記第１の操作画面の情報を削除する削除手段と、を備えることを特徴とする請求項１記載の情報処理装置。
【請求項３】
前記所定の時間が経過する前に前記通信手段がいずれかの端末装置と通信を確立した場合、確立した端末装置から取得する認証情報に基づいて、通信を確立したユーザが先にログインした第１のユーザと同一であるかどうかを判定する手段と、
通信を確立したユーザが先にログインした第１のユーザと同一であると判断した場合、前記記憶手段に保存したログインしたユーザに表示した第１の操作画面の情報に応じて表示手段に当該第１の操作画面を表示し、
該判定の結果、通信を確立したユーザがログインしたユーザと同一でない場合、第２のユーザに対してログインを実行するかどうかを確認する確認画面を前記表示手段に表示する表示制御手段と、
を備えることを特徴とする請求項２記載の情報処理装置。
【請求項４】
前記確認画面に対して前記第２のユーザからログインを実行する指示を受け付けた場合、新たなジョブを受け付けることができるスタンバイ状態であるかどうかを判定する手段と、
該判定の結果、前記スタンバイ状態でない場合、前記スタンバイ状態が確認されるまで、前記第２のユーザからのログインを実行することなくログインの予約を行う予約手段と、
を備えることを特徴とする請求項３記載の情報処理装置。
【請求項５】
前記スタンバイ状態が確認されることに応じて、前記認証手段が前記第２のユーザを認証した場合、前記表示制御手段は、前記第２のユーザから操作の指示を受け付ける第２の操作画面を表示することを特徴とする請求項３記載の情報処理装置。
【請求項６】
前記情報処理装置は、画像形成装置、印刷装置、複合画像形成装置を含むことを特徴とする請求項１乃至５のいずれか１項に記載の情報処理装置。
【請求項７】
前記端末装置は、ＩＣカード、データ通信装置を含むことを特徴とする請求項１乃至５のいずれか１項に記載の情報処理装置。
【請求項８】
情報処理装置の制御方法であって、
ユーザの人体を通じて行う端末装置との通信を確立する通信工程と、
前記端末装置と確立した通信により取得する認証情報でユーザを認証する認証工程と、
前記端末装置との通信が確立した第１の状態から確立していない第２の状態に遷移することに応じて、前記認証工程において認証されることでログインした第１のユーザが操作した第１の操作画面の情報を記憶手段に保存する保存工程と、
前記第２の状態に遷移してから所定の時間が経過したか否かを判定する判定工程と、
前記判定工程における判定の結果、前記所定の時間が経過していない場合、前記ログインした第１のユーザのログイン状態を保持し、前記ログインした第１のユーザのジョブを実行中であることに基づき前記ログインした第１のユーザ以外の第２のユーザがログインすることを制限し、前記所定の時間が経過したことに基づき、前記ログインした第１のユーザをログアウトさせる制御工程と、
を備えることを特徴とする情報処理装置の制御方法。
【請求項９】
請求項８に記載の情報処理装置の制御方法をコンピュータに実行させることを特徴とするプログラム。
【発明の詳細な説明】
【技術分野】
【０００１】
本発明は、情報処理装置、情報処理装置の制御方法、及びプログラムに関するものである。
【背景技術】
【０００２】
パーソナルコンピュータや複合機等の情報処理装置をユーザが利用するとき、個人認証を行い操作の許可を行うという事は一般的に行われている。
【０００３】
方法としてはユーザにパスワードを入力させるもの、個人の指紋や静脈パターンなどの生体情報を認証情報として使用するものがある。また、ICカードがユーザのIDやパスワードを保持し、それを読み出す事で認証が行われる認証システムもある(例えば、特許文献１参照)。
【０００４】
さらに最近になって、認証情報を記憶した端末をユーザが携帯しておき、ユーザの手や体の一部で認証装置の受信部にタッチする（触る）と、ユーザの人体を通信路にして端末と認証装置が通信するものがある。
通信が確立すると、端末内の認証情報に基づいてユーザの識別および認証を行う人体を通信路とした認証技術が実用化されている（例えば、特許文献２参照）。
【０００５】
この人体通信を用いた個人認証は、特定部にタッチするだけなので操作が簡単であり、秘匿情報である認証情報をタッチ時のみに人体を通じてやり取りするので、情報漏洩などに対して比較的セキュリティの高い方式といえる。
さらに、ユーザの操作を不要とする人体通信を用いた認証技術も提案されている（例えば、特許文献３参照）。
【０００６】
この人体通信を用いた方法は、ユーザが所持する認証情報送信機と認証装置の周囲所定位置に敷設されるフロアマットが、フロアマットに立つユーザを媒体とする容量結合によって通信を可能とする。この方式で通信が確立すると、認証情報送信機は認証情報を認証装置へ送信する。認証装置はユーザ認証の成立を条件に、このユーザのログインを許可、即ち、このユーザに許可される機能やデータを使用できる状態にする。この後、要求したジョブの処理の終了等を経て、ユーザが認証装置から離れて通信が切断した場合、情報処理装置からログアウトする。
【先行技術文献】
【特許文献】
【０００７】
【特許文献１】特開２００３−１７８０３４号公報
【特許文献２】特開２００６−２６８６１４号公報
【特許文献３】特開２０１１−２３８７５７号公報
【発明の概要】
【発明が解決しようとする課題】
【０００８】
以上のように、特許文献２ではユーザの手や体の一部で認証装置の受信部にタッチする通信方法、更に、特許文献３ではユーザの操作を不要とする人体通信機能を用いた認証技術が提案されている。
しかし、特許文献３において、ユーザが認証装置から離れて通信が切断した場合にログアウトするケースだと、以下のようは問題が発生する。
【０００９】
例えば、操作中の用紙取りやエラー、紙詰まり対応等、ユーザが一時的に認証装置から離れるケースが多々考えられる。なりすまし等のセキュリティ上の問題は防止できるが、頻繁に認証装置から離れて、その後、戻ってくる場合、その都度ログインを行い、印刷設定等を最初から行うといった煩わしさがある。また、コピー等のジョブ実行中に離れる場合、ログアウトしてもジョブは続行しているため、第三者にジョブを中断されてしまうセキュリティ上の問題も残ってしまう。
【００１０】
本発明は、上記の課題を解決するためになされたもので、本発明の目的は、ログインしたユーザの端末装置と情報処理装置との通信状態に適応して、新たにまたは再度ログインするユーザに対するログイン処理や操作要求を受け付けたり、受け付けを制限できる仕組みを提供することである。
【課題を解決するための手段】
【００１１】
上記目的を達成する本発明の管理装置は以下に示す構成を備える。
ユーザの人体を通じて行う端末装置との通信を確立する通信手段と、前記端末装置と確立した通信により取得する認証情報でユーザを認証する認証手段と、前記通信手段と前記端末装置との通信が確立した第１の状態から確立していない第２の状態に遷移することに応じて、前記認証手段によって認証することでログインした第１のユーザが操作した第１の操作画面の情報を記憶手段に保存する保存手段と、前記第２の状態に遷移してから所定の時間が経過したか否かを判定する判定手段と、前記判定手段による判定の結果、前記所定の時間が経過していない場合、前記ログインした第1のユーザのログイン状態を保持し、前記ログインした第１のユーザのジョブを実行中であることに基づき前記ログインした第1のユーザ以外の第２のユーザがログインすることを制限し、前記所定の時間が経過したことに基づき、前記ログインした第１のユーザをログアウトさせる制御手段と、を備えることを特徴とする。
【発明の効果】
【００１２】
本発明によれば、ログインしたユーザの端末装置と情報処理装置との通信状態に適応して、新たにまたは再度ログインするユーザに対するログイン処理や操作要求を受け付けたり、受け付けを制限できる。
また、新たにログインするユーザにより先にログインしたユーザのジョブが中断されてしまう事態を回避できる。
【図面の簡単な説明】
【００１３】
【図１】情報処理装置の構成を示す図である。
【図２】情報処理装置における認証処理を説明する図である。
【図３】情報処理装置のハードウエア構成の一例を示すブロック図である。
【図４】携帯端末のハードウエア構成の一例を示すブロック図である。
【図５】制御部のモジュールの構成の一例を示すブロック図である。
【図６】情報処理装置の制御方法を説明するフローチャートである。
【発明を実施するための形態】
【００１４】
次に本発明を実施するための最良の形態について図面を参照して説明する。
＜システム構成の説明＞
〔第１実施形態〕
【００１５】
図１は、本実施形態を示す情報処理装置の構成を示す図である。本例は、コピー機能、スキャン機能、ＦＡＸ機能及び印刷機能など各種機能を備える一般的な複合画像形成装置を情報処理装置とする例である。また、情報処理装置１は、ユーザによる操作指示を入力する操作部２と、情報処理装置１の周囲の所定位置に配置されるフロアマット３とを備えている。なお、図例では、フロアマット３は、情報処理装置１の正面側所定位置に敷設される場合を示している。
【００１６】
図１において、情報処理装置１は、ユーザが所持する携帯端末とデータ通信を行う場合、ユーザの人体を媒介させてデータ通信を行う人体通信方式が採用されている。上述したフロアマット３は、そのような人体通信を行う際に、ユーザと情報処理装置１とをデータ通信可能な状態に接続するためのインタフェースとして機能するように構成される。
すなわち、フロアマット３には、そのフロアマット３に立った状態のユーザの足元から人体通信を行うためのインタフェースとしてマット通信部３ａが内蔵されている。また、情報処理装置１が持つ人体通信のインタフェースはフロアマット３のような構成でもよいし、手や体の一部によって触れることで通信出来るタッチパネル式のデバイス（図示せず）であってもよい。本実施形態ではフロアマット３の構成とする。
【００１７】
人体通信は、例えば、人体の表面に現れる電界の強度変化を利用してデータ通信を行う電界方式が採用される。この電界方式は、人体と接触する電極又は人体に近接する電極を介して人体の表面に現れる電界の強度を変化させることによりデータを送信すると共に、人体の表面の現れる電界の強度変化を検知することによりデータを受信する方式である。
【００１８】
図２は、図１に示した情報処理装置における認証処理を説明する図である。本例では、情報処理装置１に対してユーザ認証を行っている所を図示している。
図２において、情報処理装置１は、例えば、ユーザ７がフロアマット３に立った状態の時に人体通信を行う処理を開始し、フロアマット３を介してユーザ認証を行う。つまり、情報処理装置１は、フロアマット３とユーザ７の人体とを介して携帯端末８から認証情報を取得しその認証情報に基づきユーザ認証を行う。ユーザ認証が成功すると、情報処理装置１は、ユーザ７による操作指示に基づき、例えば、スキャンなどの各種処理を実行することが可能な状態となる。
【００１９】
図３は、図２に示した情報処理装置１のハードウエア構成の一例を示すブロック図である。情報処理装置１は、この情報処理装置１の動作を制御する制御部１２と、人体通信を行う人体通信部１２１０と、原稿を読み取って画像データを出力する読取部１１と、画像データに基づき印刷処理を実行する印刷処理部１０により構成される。
更に、各種情報を記憶するＲＯＭ１２０３、又はＨＤＤ１２０８と、上述した操作部２及びマット通信部３ａと、を備え、それらがシステムバス１２０６、ＩＯバス１２１２を介して接続されることにより相互に通信可能に構成される。以下、詳細に説明する。
【００２０】
図３において、制御部１２は、画像読取デバイスである読取部１１や画像出力デバイスである印刷処理部１０と接続される。一方ではＬＡＮに接続することで、図示しない外部装置であるサーバーやＰＣ（パーソナルコンピュータ）、その他外部機器との間で画像情報や通信制御に関わる情報の入出力を行う為のコントローラである。
【００２１】
ＣＰＵ１２０１はシステム全体を制御するコントローラである。ＲＡＭ１２０２はＣＰＵ１２０１が動作するためのシステムワークメモリであり、画像データを一時記憶するための画像メモリでもある。ＲＯＭ１２０３はブートＲＯＭであり、システムのブートプログラムが格納されている。操作部Ｉ／Ｆ１２０４は操作部２とのインタフェース部で、操作部２に表示する画像データを操作部２に対して出力する。また、操作部２から使用者が入力した情報を、ＣＰＵ１２０１に伝える役割をする。以上のデバイスがシステムバス１２０６上に配置される。
ＩＯ制御１２０７は各ＩＯチップをコントロールし、ＣＰＵ１２０１やＲＡＭ１２０２との通信を行うＩ／Ｆであり、システムバス１２０６とＩＯバス１２１２のバスブリッジ機能を有する。
【００２２】
ＨＤＤ１２０８はハードディスクドライブであって、システムソフトウェア、画像データ、ソフトウェアカウンタ値などを格納する。ソフトウェアカウンタ値は、画像出力枚数をカウントアップされた値が格納される。カウンタ値はＨＤＤ１２０８に限らず電源が切れても記憶保持することができれば、図示しない不揮発性メモリや電池バックアップ機能のメモリ等にその記憶領域を持ってもよい。
【００２３】
また、ＨＤＤ１２０８は、上述したシステムソフトウェア等の他に認証情報４を記憶する。認証情報４は、管理者などによって予め登録されるユーザに関する情報であり、ユーザ認証を行う際に参照される。認証情報４には、例えば携帯端末８を保持するユーザを識別するための識別情報などが含まれている
【００２４】
Ｎｅｔｗｏｒｋ１２０９はＬＡＮに接続し、出力用画像に関わる各種データの入出力や機器制御にかかわる情報の入出力を行う。操作部２における入力操作によってネットワーク上の図示しないＰＣや外部の出力用画像データを管理する装置から操作部２による入力操作に応じて出力用画像データを受信して画像出力を行うことが可能である。スキャナ、プリンタ通信Ｉ／Ｆ１２１１は読取部１１、印刷処理部１０のＣＰＵとそれぞれ通信を行うためのＩ／Ｆである。
【００２５】
人体通信部１２１０は、人体通信を行う通信モジュールである。人体通信部１２１０は、マット通信部３ａに対して携帯端末８への送信対象となるデータを出力したり、携帯端末８からの出力されるデータを受信し、その情報を制御部１２に出力したりする構成である。
【００２６】
マット通信部３ａは、人体通信を行うための電極などを備える構成である。そのマット通信部３ａが内蔵されるフロアマット３は、ユーザが操作部２を操作するときの位置に対応した場所に敷設される。そのためユーザは、自然な姿勢で操作部２を操作するとき、必然的にフロアマット３に立つ状態となる。
【００２７】
読取部１１は、原稿画像を読み取って画像データを出力する処理部である。例えば、読取部１１は、原稿載置台に載置された複数の原稿を先頭から１枚ずつ搬送する原稿搬送部や、読み取った原稿画像を画像データに変換して出力する画像データ出力部などを備えている。
【００２８】
印刷処理部１０は、画像データに基づき印刷処理を実行することで印刷物を出力する処理部である。例えば、印刷処理部１０は、１枚ずつ給紙された用紙に対して、画像データに基づき画像形成を行う画像形成部、画像形成部によって形成されるトナー像（画像）を用紙に転写させる転写部を備える。更に、用紙に転写されたトナー像を定着させる定着部、印刷された印刷物を排出する印刷物搬送部などを備えている。
【００２９】
操作部２は、上述したようにユーザによる操作指示を入力する構成を備えている。すなわち操作部２は、例えば液晶パネルなどで構成され各種情報を表示する表示部と、その表示部に対する操作を検知することでユーザによる操作指示を入力する操作入力部を備えている。
【００３０】
図４は、図２に示した携帯端末８のハードウエア構成の一例を示すブロック図である。
図４において、携帯端末８は、その携帯端末８の動作を制御する制御部８ａと、人体通信を行うための人体通信部８ｂと、プログラムや画像データなどの各種情報を記憶する記憶装置８ｃとを備えている。また、図示していないが、携帯端末８はバッテリや電源制御部など携帯するために必要な構成を備えている。制御部８ａは、ＣＰＵやメモリなどを備えており、記憶装置８ｃに記憶されている各種プログラムを読出して実行することで人体通信に伴う処理を実行する。
【００３１】
また、人体通信部８ｂは、情報処理装置１との人体通信を行う通信モジュールである。記憶装置８ｃには、この携帯端末８を保持するユーザの識別情報などが記録された認証情報が記憶されている。これにより情報処理装置１は、ＨＤＤ１２０８に記憶されている認証情報４と携帯端末８から受け取る認証情報とに基づきユーザ認証を行うことが可能である。
【００３２】
図４に示す構成は、例えば携帯電話機やＩＣカードなどに組み込まれたものであっても良い。例えば携帯端末８がＩＣカードに組み込まれる場合、携帯端末８は、情報処理装置１から認証要求を受けたときに、そのＩＣカードに予め記録されている認証情報を読み取って、その読み取った認証情報を情報処理装置１に送信するように構成される。
【００３３】
図５は、図３に示した情報処理装置１における制御部１２のモジュールの構成の一例を示すブロック図である。
図５において、制御部１２は、ＣＰＵ１２０１がＨＤＤ１２０８内の図示しないシステムソフトウェアを実行することにより認証部５として機能する。認証部５は、人体通信によりユーザ認証を行う処理部である。
【００３４】
図６は、本実施形態を示す情報処理装置の制御方法を説明するフローチャートである。本例は、人体通信のインタフェースとしてフロアマット３を用いた場合のログイン処理例である。以下、各図を参照して制御部１２の処理手順について詳細に説明する。なお、各ステップは、ＣＰＵ１２０１がＨＤＤ１２０８等に記憶された制御プログラムを実行することで実現される。
Ｓ１４００は、制御部１２は、マット通信部３Ａを使用した人体通信でフロアマット３を用いたユーザの認証がＯＫかどうかを判断する。
【００３５】
具体的には、人体通信部１２１０はマット通信部３ａに対してユーザが立った事を認識すると、マット通信部３ａは人体通信が可能な状態であることを検知する。マット通信部３ａは人体通信部１２１０を通じて認証部５に対して認証処理を行うように指示をする。
【００３６】
人体通信部１２１０を通じてマット通信部３ａからの認証要求を受けた認証部５は、人体通信部１２１０を介して携帯端末８に対して認証情報を要求する。人体通信部１２１０は、認証部５から受け取る認証要求をマット通信部３ａ経由で携帯端末８に送信する。
【００３７】
認証部５は、携帯端末８が応答することにより出力される認証情報をマット通信部３ａから人体通信部１２１０を介して受け取る。それから、ＨＤＤ１２０８を検索して、携帯端末８から受け取った認証情報と同一の認証情報４がＨＤＤ１２０８に記憶されているか否かを判断する。認証部５は、携帯端末８から受け取った認証情報と同一の認証情報４がＨＤＤ１２０８に記憶されている場合には、ユーザ認証が成功したと判断する。これによりユーザは、情報処理装置１にログインすることになり情報処理装置１に対して各種操作指示を行うことが可能となる。
一方、認証部５は、携帯端末８から受け取った認証情報と同一の認証情報４がＨＤＤ１２０８に記憶されていない場合（Ｓ１４００でＮＯ）には、ユーザ認証が失敗したと判断する。
【００３８】
制御部１２は、ユーザ認証が成功した場合、例えばユーザに対してログインが許可されたことを操作部２において報知すると共に、メニュー画面などを表示し、ユーザに対して実行すべき処理を選択させる（Ｓ１４０１）。
【００３９】
Ｓ１４０２では、制御部１２がフロアマット３からログインユーザが離れたか否かの判定を行う。これにより、制御部１２は、通信を確立している第１の状態から、通信を確立していない第２の状態に通信状態が遷移しているかどうかを判断することができる。
なお、ユーザがフロアマット３から離れると上記人体通信が切断されるが、制御部１２は通信の切断を監視する手段を備えている。通信の切断を監視する方法の１つは、定期的に接続を表す信号を携帯端末８からマット通信部３ａを介して送り続け、この信号を受け取る制御部１２のＣＰＵ１２０１は、この受信信号が送られてこなくなったら、通信の切断と判断する。
【００４０】
ログインユーザがフロアマット３から離れた場合、それまで操作部２上で操作していた操作画面の表示部内容、又は設定内容の情報をＨＤＤ１２０８へ保存することで退避し、操作部２の操作入力部をロック（操作不可状態）する（Ｓ１４０３）。
そして、制御部１２は、操作部２の操作入力部をロックしている間、表示部には"ｘｘｘ（ログインユーザのユニークコード）でログイン中"といったメッセージを表示する表示制御を実行する。
【００４１】
Ｓ１４０４において、制御部１２は、第２の状態に遷移してから所定の時間が経過しているかどうかを判断する。ここで、所定時間内にログインユーザを含む登録されているユーザがフロアマット３の施設エリア内にログインしたユーザが戻ってこなければ、ログインユーザはログアウトされ、操作部２の表示部にはデフォルト画面を表示する（Ｓ１４０５）。その後、情報処理装置１はログイン待ち状態になる。Ｓ１４０４で所定時間内にログインユーザを含む登録されているユーザがフロアマット３に入ってきた場合は、Ｓ１４０６へ進む。
【００４２】
Ｓ１４０６で、一時的に離れていたログインユーザが戻ってきた場合、認証部５は、簡易認証（ログインユーザ情報はキャッシュメモリであるＲＡＭ１２０２に格納されている）を行う。その後、ＣＰＵ１２０１は、ＨＤＤ１２０８に退避していた画面の表示部内容、又は設定内容の情報を操作部２へロードすし、引き続きログインユーザの操作指示が行われる（Ｓ１４０７）。
Ｓ１４０６において、ログインユーザではなく、他の登録ユーザがフロアマット３に入ってきた時、上述した認証部５による認証手順に基づき認証が行われる。
ここで、認証がＯＫになった場合でも、すぐにログインユーザがログアウト、他の登録ユーザがログインするのではなく、他の登録ユーザの次の行動によってログインが成立する。
【００４３】
例えば、次のＳ１４０８において、他の登録ユーザが確認された時点で、操作部２の表示部には"表示部にタッチしてログインします"旨の内容を示す確認画面を表示し、ログインするか否かをユーザに促す。本実施形態では、表示部タッチをログインの二次トリガーとしているが、その手段については、これに限定する限りではない。
【００４４】
Ｓ１４０９において、他の登録ユーザが操作部２にタッチしないと制御部１２が判断した場合、つまり、何もアクションを行わずフロアマット３から離れる場合は、Ｓ１４１０へ進む。ログインユーザのログイン中のままＳ１４０４に戻って、制御部１２は、ユーザがフロアマット３に戻ってくるのを待つ。
Ｓ１４０９で、他の登録ユーザが操作部２にタッチしたと制御部１２が判断した場合は、Ｓ１４１１へ進み、情報処理装置１のステータスによって動作フローが変わってくる。
【００４５】
Ｓ１４１１において、情報処理装置１がスタンバイ状態（ユーザによるジョブに対する動作の操作がない状態）であると制御部１２が判断した場合、ログインユーザがログアウト、他の登録ユーザがログインする（Ｓ１４１４）。
【００４６】
Ｓ１４１１で、情報処理装置１がログインユーザによって何らかのジョブが実行されている場合、制御部１２は、操作部２の操作入力は禁止され、ログイン予約（ジョブ終了待ち）の状態になる（Ｓ１４１２）。
Ｓ１４１３において、ジョブが終了した時点で、ログインユーザがログアウト、他の登録ユーザがログインされる。他の登録ユーザがログインする際は、操作部２の表示部や設定内容はクリア（削除）され、デフォルト画面に移行して（Ｓ１４１５）、本処理を終了する。
【００４７】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４８】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４９】
１  情報処理装置
２  操作部
３  フロアマット
【図１】
0006422243.tif 000002
【図２】
0006422243.tif 000003
【図３】
0006422243.tif 000004
【図４】
0006422243.tif 000005
【図５】
0006422243.tif 000006
【図６】
0006422243.tif 000007